(57)【要約】      （修正有）【課題】すべての音域において遠達性に優れ、立体感のある豊かな音色を出力することができる構造を有するスピーカーシステムを提供する。【解決手段】キャビネット１を構成する複数の板のうちバッフルボード１１以外の少なくとも１の板の内側表面に凹部を形成することにより、板の凹部における板厚が板の凹部以外の部分の板厚よりも薄くなるようにする。キャビネット１内部の各コーナーにおいて板同士の接触部分を補強する１以上の柱材を着設する。単体のスピーカーユニット３については、ユニットの中心がバッフルボード１１の中心から外れるように設置する。複数のスピーカーユニット３、４については、少なくとも１のスピーカーユニット３は該スピーカーユニット３の前面が他のスピーカーユニット４の前面と異なる平面上に位置させる。キャビネット１内部において、複数のスピーカーユニット３、４間に間仕切り５を設置する。【選択図】図５
0003195828.tif 000002
【実用新案登録請求の範囲】
【請求項１】
箱型のキャビネットのバッフルボードに少なくとも１のスピーカーユニットを設置したスピーカーシステムであって、前記キャビネットを構成する複数の板のうち前記バッフルボード以外の少なくとも１の板の内側表面に凹部が形成されことにより前記凹部における板厚が他の部分の板厚よりも薄いことを特徴とするスピーカーシステム。
【請求項２】
前記箱型のキャビネット内部の各コーナーにおいて前記板同志の接触部分を補強する１以上の柱材を着設したことを特徴とする請求項１記載のスピーカーシステム。
【請求項３】
前記バッフルボードに単体のスピーカーユニットを設置したスピーカーシステムであって、前記スピーカーユニットは、前記スピーカーユニットの中心が前記バッフルボードの中心から外れて設置されていることを特徴とする請求項１又は２記載のスピーカーシステム。
【請求項４】
前記バッフルボードに複数のスピーカーユニットを設置したスピーカーシステムであって、前記複数のスピーカーユニットのうちの少なくとも１のスピーカーユニットは該スピーカーユニットの前面が他のスピーカーユニットの前面と異なる平面上に位置することを特徴とする請求項１又は２記載のスピーカーシステム。
【請求項５】
前記バッフルボードに複数のスピーカーユニットを設置したスピーカーシステムであって、前記キャビネット内部の前記スピーカーユニット間に間仕切りを設置したことを特徴とする請求項１、２又は４のいずれかに記載のスピーカーシステム。
【考案の詳細な説明】
【技術分野】
【０００１】
本考案はスピーカーシステムの内部構造に関する。
【背景技術】
【０００２】
現在市販されているエレキギター・ベース用のスピーカーシステムの一般的な構造としては、均等の厚さの木板を素材とするキャビネットを有し、バッフルボード(前板)に、１又は２のスピーカーユニットが単純に配置されているものが通常である。一般的に、単体のスピーカーユニットの場合は前記バッフルボードのほぼ中央に該スピーカーユニット配置され、複数の場合は設置面に対して凹凸の差なく同一平面上に設置されている。また、キャビネット内部には、音響補正的な意味合いを持つ補強材や、ユニット間の間仕切りもないのがふつうである。
【先行技術文献】
【非特許文献】
【０００３】
【特許文献１】特開平１０−８４５９４
【特許文献２】特開２００６−１７４３１２
【考案の概要】
【考案が解決しようとする課題】
【０００４】
従来のスピーカーシステムは、上述のような単純構造であったため、音響面において以下の問題点があった。
【０００５】
キャビネットに用いられる天板・底板・側板は均等の厚さをもって製作されているため、振動が一定になり、平板な音が出力されてしまう。
【０００６】
音響補正的な意味合いを持つ補強材が入っていないため、キャビネットの筐体としての強度と出力される音の中・低音域が不足する。筐体の強度と、特に中音域が不足していると、出力される音の遠達性が期待できない。
【０００７】
単体のスピーカーユニットの場合、バッフルボードのほぼ中心にマウントされるため、バッフルボードが均等に振動し、特定周波数を打ち消してしまう。
【０００８】
複数のスピーカーユニットがマウントされる場合、設置面に対して凹凸なく同一平面上にマウントされるため、聴感上、立体感のない平板な音に聞こえてしまう。このため、若干のエコー効果が期待できない。
【０００９】
複数のスピーカーユニット間に間仕切りが無いため、キャビネット内部でスピーカーから発生する振動が相互干渉されてしまい、音が濁るという問題点がある。このため、出力される音が、はっきり聴き取り辛い。
【００１０】
特許文献１には、バッフルボードの板厚を薄くすることにより、遠達性と臨場感に優れる音を発するスピーカーシステムが提案されている。また、特許文献２には、バッフルボードの板材として繊維板を採用し、側板の板厚を薄くすることにより、音圧レベルが高い音を放出するスピーカーシステムが開示されている。しかしながら、板の材質や厚さを変えるだけでは、十分な音質の向上は期待できない。
【００１１】
本考案は、上述の問題に鑑み、すべての音域において遠達性に優れ、立体感のある豊かな音色を出力することができる構造を有するスピーカーシステムを提供することを課題とする。
【課題を解決するための手段】
【００１２】
上述の課題を解決するために、本考案に係るスピーカーシステムは以下の構造を有する。
【００１３】
請求項１のスピーカーシステムは、キャビネットを構成する複数の板のうちバッフルボード以外の少なくとも１の板の内側表面に凹部が形成されことにより前記凹部における板厚が他の部分の板厚よりも薄いことを特徴とする。これにより、キャビネット自体に複雑な振動を加え倍音成分が豊かに出力される。
【００１４】
請求項２のスピーカーシステムは、キャビネット内部の各コーナーにおいて前記板同志の接触部分を補強する１以上の柱材を着設したことを特徴とする。これにより筐体自体の剛性と音の中低域の確保と遠達性を生じさせる。
【００１５】
請求項３のスピーカーシステムは、バッフルボードに単体のスピーカーユニットを設置したスピーカーシステムであって、ユニットの中心がバッフルボードの中心から外れて設置されていることを特徴とする。これにより、特定周波数の打消しが最小限に抑えられ、豊かな音色となる。
【００１６】
請求項４のスピーカーシステムは、バッフルボードに複数のスピーカーユニットを設置したスピーカーシステムであって、前記複数のスピーカーユニットのうちの少なくとも１のスピーカーユニットは該スピーカーユニットの前面が他のスピーカーユニットの前面と異なる平面上に位置することを特徴とする。これにより、出力される音に奥行き感を生じさせる。
【００１７】
請求項５のスピーカーシステムは、同じく複数のスピーカーユニットを設置したスピーカーシステムであって、キャビネット内部のスピーカーユニット間に間仕切りを設置したことを特徴とする。これにより、筐体内部でのスピーカーユニットの発する振動の過干渉を抑え、明瞭な音が確保できる。
【考案の効果】
【００１８】
本考案により、最終的にスピーカーから出力される音は、既存のスピーカーシステムより遠達性に優れ、聴感上の音色も豊かに聴こえる。
【図面の簡単な説明】
【００１９】
【図１】実施形態１のスピーカーシステムの側板を示す。（Ａ）内側から側板を見たときの斜視図である。（Ｂ）ａ−ａ断面図である。
【図２】実施形態２のスピーカーシステムのキャビネットの後方向からの斜視図である。
【図３】実施形態３のスピーカーシステムの背面図である。
【図４】実施形態４のスピーカーシステムを示す（Ａ）正面図、及び（Ｂ）側面図（側板を省略）である。
【図５】実施形態５のスピーカーシステムの後方向からの斜視図である。
【考案を実施するための形態】
【００２０】
以下、本考案に係るスピーカーシステムの実施形態１乃至５について図を用いて説明する。実施形態１乃至５は各々請求項１乃至５に記載のスピーカーシステムに対応する。
【００２１】
（実施形態１）
請求項１記載のスピーカーシステムは、キャビネットを構成するバッフルボード以外の板に凹部を設けたことを特徴とするが、本実施形態においては、バッフルボードを挟む２枚の側板に凹部を設けた。具体的には、図１に示すように、各々の側板１２は２枚の板１２１及び１２２を張り合わせた構成とし、内側の板１２１は中心から縦４０〜５０％、横３０〜４０％の範囲を刳り貫き、側板１２自体の半分の厚さに加工している。
【００２２】
（実施形態２）
請求項２記載のスピーカーシステムは、キャビネット内部の各コーナーにおいて板同志の接触部分を補強する１以上の柱材を着設することを特徴とするが、本実施形態においては、図２に示すように、キャビネット１の内部の各コーナーに１５ｍｍ〜２０ｍｍの補強材６を設置している。
【００２３】
（実施形態３）
請求項３記載のスピーカーシステムは、バッフルボードに単体のスピーカーユニットを設置したスピーカーシステムで、スピーカーユニットの中心がバッフルボードの中心から外れて設置されていることを特徴とするが、本実施形態においては、図３に示すように、スピーカーユニット２の中心２１をバッフルボード１１の中心１１１より、正面左方向に２０ｍｍ〜３０ｍｍずらして設置している。
【００２４】
（実施形態４）
請求項４記載のスピーカーシステムは、複数のスピーカーユニットを有するスピーカーシステムにおいて、少なくとも１のスピーカーユニットの前面が他のスピーカーユニットの前面と異なる平面上に位置することを特徴とするが、本実施形態においては、図４に示すように、２つのスピーカーユニット３及び４を、互いに前後奥行方向に１５ｍｍ〜１８ｍｍずらして設置している。
【００２５】
（実施形態５）
請求項５記載のスピーカーシステムは、同じく複数のスピーカーユニットを有するスピーカーシステムにおいて、キャビネット内部のスピーカーユニット間に間仕切りを設置したことを特徴とするが、本実施形態においては、図５に示すように、２つのスピーカーユニット３及び４の間にバッフルボード１１を起点としてキャビネット１の奥行きの５０％〜７５％を仕切る間仕切り５を設置している。
【符号の説明】
【００２６】
１      スピーカーキャビネット
１１    バッフルボード（前板）
１１１  バッフルボードの中心
１１２  スピーカーユニット取付口
１２    側板
１２１  内側板
１２２  外側板
１３    天板
１４    底板
２      スピーカーユニット(単体)
２１    スピーカーユニット(単体)の中心
３      スピーカーユニット（複数）
４      スピーカーユニット（複数）
５      間仕切り
６      補強材
【図１】
0003195828.tif 000003
【図２】
0003195828.tif 000004
【図３】
0003195828.tif 000005
【図４】
0003195828.tif 000006
【図５】
0003195828.tif 000007